(57)【要約】【課題】本発明は、ミストシャワー浴時に酸素の摂取を促進させるために、酸素をミスト中に存在させることのできる酸素供給式ミストシャワー装置を提供する。【解決手段】給湯機により送られた湯水を、圧力ポンプにより高圧にし、湯水供給配管の先端に接続した噴霧ノズルより噴霧してミストを作り、これをシャワー水として利用したミストシャワー装置において、該ミスト中に酸素含有付加手段を具備してなる酸素供給式ミストシャワー装置。【選択図】  図２
2004243065.tif 000002
【特許請求の範囲】
【請求項１】
給湯機で作られた湯水を、圧力ポンプにより高圧にし、噴霧ノズルより噴霧してミストを作り、これをシャワー水として利用したミストシャワー装置において、該ミストを作る工程において酸素含有付加手段を具備してなる酸素供給式ミストシャワー装置。
【請求項２】
該酸素含有付加手段が、酸素ガスを供給するための吸着型（ＰＳＡ）酸素濃縮装置、あるいは膜型酸素濃縮装置、あるいは化学反応による酸素発生装置、あるいは酸素ガスボンベ、あるいは液化酸素供給装置である請求項１記載の酸素供給式ミストシャワー装置。
【請求項３】
該酸素含有付加手段を、少なくとも、圧力ポンプの上流側の湯水供給配管、または下流側の湯水供給配管、または噴霧ノズルのいずれかに接続してなる請求項１及び２記載の酸素供給式ミストシャワー装置。
【発明の詳細な説明】
【０００１】
【発明の属する技術分野】
本発明は、浴室等において、シャワー水を噴霧上に吐出可能なミストシャワー装置に関する。
【０００２】
さらに詳しくは、本発明は給湯機で作られた湯水を、圧力ポンプにより高圧にし、噴霧ノズルより噴霧してミストを作り、これをシャワー水として利用したミストシャワー装置において、該ミストを作る工程において酸素含有付加手段を具備してなる酸素供給式ミストシャワー装置である。
【０００３】
【従来の技術】
近年、浴室内でのリラックス効果を期待してミストシャワー装置が開発された。ミストシャワー浴は浴槽入浴にくらべ、心拍数の上昇を抑え、湯冷めしにくいといわれている。しかしながら、ミストシャワー浴や浴槽入浴は、素肌になるため体感温度の急激な変化や、湯水の圧力による負荷等により、心拍数の上昇や、浴室から出るときに貧血を起こしたりする可能性があった。
【０００４】
貧血の症状は、体内の各所が酸素欠乏状態によって現れる。従って、酸素欠乏状態を回避するには、酸素補給が有効の手段と考えられる。
【０００５】
ところで、人間の酸素摂取の方法は、呼吸により体内（肺）に取り込まれる。酸素の含有する水・食物として口より摂取する。体表面（肌）より摂取する。があげられる。
【０００６】
入浴時に貧血の症状を回避するには、前記、呼吸による摂取、あるいは、体表面からの摂取を促進することが有効と考えられる。
【０００７】
しかしながら、従来技術においては、ミストシャワー浴や浴槽入浴時に、酸素の摂取を促進するものはなかった。
【０００８】
【発明が解決しようとする課題】
前記したように、ミストシャワー浴や浴槽入浴においては、入浴時に貧血の症状を起こす可能性があった。本発明は、入浴時の貧血の症状を回避するために、ミストシャワー装置のミストを作る工程に酸素含有付加手段を具備し、酸素ガスをミストの中に存在させることにより、呼吸による摂取、あるいは体表面からの摂取を促進させようとするものである。
【０００９】
【発明を解決するための手段】
ミストシャワー装置において、酸素含有量の多いミストを得るために、ミストを作る工程に酸素含有付加手段を具備し、酸素ガスをミストの中に存在させることのできる酸素供給式ミストシャワー装置を提供する。
【００１０】
【発明の実施の形態】
図１は、従来のミストシャワー装置の一形態を示すものである。
上流側を給湯機１に接続した湯水供給菅３の中途に設けた圧力ポンプ２により湯水を高圧にし、その後、湯水供給菅３の先端に接続した噴霧ノズル２より水を噴霧してミストを作り、湯槽４を設置した浴室Ａの中で、シャワー水として利用できるようにした装置である。
【００１１】
図２〜図４は、本発明の酸素供給ミストシャワー装置の好ましい実施態様例を示したものである。これらの図における酸素供給式ミストシャワー装置には、給湯機１と圧力ポンプ２と噴霧ノズル３とが湯水供給菅４により接続されており、さらに、酸素供給装置６が接続されている。
【００１２】
図２は、圧力ポンプ２の上流側の湯水供給菅４に酸素供給装置６を接続したものである。酸素供給装置６により酸素ガスが、逆止弁１６を通り湯水供給菅４の供給されると、湯水供給菅４のなかに流れる湯水に酸素ガスが含有され、溶存酸素量の大なる湯水が圧力ポンプ２、噴霧ノズル３へと順次流れ、酸素の多く含んだミストが得られる。なお、逆止弁１６は、湯水供給菅４から湯水が酸素供給装置６に逆流することを防止するためのものである。
【００１３】
図３は、圧力ポンプ２の下流側の湯水供給菅４に酸素供給装置６を接続したものである。酸素供給装置６により酸素ガスが湯水供給菅４の供給されると、湯水供給菅４のなかに流れる湯水に酸素ガスが含有され、溶存酸素量の大なる湯水が、噴霧ノズル３へと流れ、酸素の多く含んだミストが得られる。
【００１４】
図４は、噴霧ノズル３に酸素供給装置６を接続したものである。酸素供給装置６により酸素ガスが湯水供給菅４の供給されると、噴霧ノズル３に流れる湯水に酸素ガスが含有され、溶存酸素量の大なる湯水により、酸素の多く含んだミストが得られる。
【００１５】
図５は、図４に示した酸素供給ミストシャワー装置の噴水ノズル３の要部拡大図であり、噴霧ノズル３は、前部に噴霧口９を有するとともに後部にテーパー状嵌合部１０を有するノズルヘッド１１に、周面に複数の螺旋溝１２を設けた同様にテーパー状の頭部を有するプラグ１３を嵌合した構成を有し、湯水をノズルヘッド１１に送るための湯水供給通路７が設けられている。湯水供給通路７の側面には細孔８が設けられており、この細孔８に酸素供給装置６からの配管が接続されている。
【００１６】
かかる構成によって、湯水供給通路７を通過した湯水は、細孔８から供給された酸素ガスを含有し、細かい螺旋溝１２で流速が加速された酸素を含有した水が空気と衝突して細かいミストとなりミスト状のシャワー水を使用者に向けて噴出することができる。これによって、酸素の多く含んだミストが得られる。
【００１７】
図６は、酸素供給ミストシャワー装置の他の態様を示す噴水ノズル３の要部拡大図であり、噴霧ノズル３は、前部に噴霧口９を有するとともに後部にテーパー状嵌合部１０を有するノズルヘッド１１に、周面に複数の螺旋溝１２を設けた同様にテーパー状の頭部を有するプラグ１３を嵌合した構成を有し、湯水をノズルヘッド１１に送るための湯水供給通路７が設けられている。また、ノズルヘッド１１の噴霧口９の近傍の内側面には微細孔１４が設けられている。
【００１８】
かかる構成によって、湯水供給通路７を通過した湯水は、細かい螺旋溝１２で流速が加速され、ノズルヘッド１１の噴霧口９の近傍で、微細孔４３から供給された酸素ガスおよび空気と衝突して細かいミストとなり、ミスト状のシャワー水を使用者に向けて噴出することができる。これによって、酸素の多く含んだミストが得られる。
【００１９】
図７は、酸素供給ミストシャワー装置のさらに他の態様を示す噴水ノズル３の要部拡大図であり、噴霧ノズル３は、前部に噴霧口９を有するとともに後部にテーパー状嵌合部１０を有するノズルヘッド１１に、周面に複数の螺旋溝１２を設けた同様にテーパー状の頭部を有するプラグ１を嵌合した構成を有し、湯水をノズルヘッド１１に送るための湯水供給通路７が設けられている。また、ノズルヘッド１１の噴霧口９に向けて酸素吹出し孔１が設けられている。
【００２０】
かかる構成によって、湯水供給通路７を通過した湯水は、細かい螺旋溝１２で流速が加速され、ノズルヘッド１１の空気と衝突して細かいミストとなり、噴霧口９から噴出した瞬間に、酸素吹出し孔１から供給された酸素ガスにより、より酸素を含んだミストとなり、ミスト状のシャワー水を使用者に向けて噴出することができる。酸素の多く含んだミストが得られる。
【００２１】
本発明の実施態様例にあげた酸素供給装置６としては、吸着型（ＰＳＡ）酸素濃縮装置、あるいは膜型酸素濃縮装置、あるいは化学反応による酸素発生装置、あるいは酸素ガスボンベ、あるいは液化酸素供給装置をもちいることができる。
【００２２】
また、本発明の実施態様例では、噴霧ノズル３のみを浴室Ａの中に配置し説明したが、給湯機や、圧力ポンプや、酸素供給装置を浴室Ａの中に配置してもよく限定されるものではない。
【００２３】
【発明の効果】
従来のミストシャワー装置で得られるミストより酸素の多く含んだミストが得られる。これにより、酸素を多く含んだミストが浴室の中を充満して呼吸による摂取の促進が可能となり、また、酸素を多く含んだミストを直接肌に当てるため体表面からの摂取を促進することが可能となる。
【図面の簡単な説明】
【図１】従来のミストシャワー装置の一形態を説明する図である。
【図２】〜
【図４】本発明の酸素供給式ミストシャワー装置を説明する図である。
【図５】本発明の図４に示した酸素供給式ミストシャワー装置の噴水ノズルの要部拡大図である。
【図６】本発明の酸素供給式ミストシャワー装置の他の態様を示す噴水ノズルの要部拡大図である。
【図７】本発明の酸素供給式ミストシャワー装置のさらに他の態様を示す噴水ノズルの要部拡大図である。
【図１】
2004243065.tif 000003
【図２】
2004243065.tif 000004
【図３】
2004243065.tif 000005
【図４】
2004243065.tif 000006
【図５】
2004243065.tif 000007
【図６】
2004243065.tif 000008
【図６】
2004243065.tif 000009
【手続補正書】
【提出日】平成15年5月7日(2003.5.7)
【手続補正２】
【補正対象書類名】図面
【補正対象項目名】全図
【補正方法】変更
【補正の内容】
【図１】
2004243065.tif 000010
【図２】
2004243065.tif 000011
【図３】
2004243065.tif 000012
【図４】
2004243065.tif 000013
【図５】
2004243065.tif 000014
【図６】
2004243065.tif 000015
【図７】
2004243065.tif 000016